(57)【要約】【課題】生ゴミ中の水分を効率よく取り除いて、生ゴミを短時間で乾燥させることができる生ゴミ処理機を提供すること。【解決手段】生ゴミを加熱手段１４により加熱して乾燥を促進させる生ゴミ処理機１であって、生ゴミを投入できる断面略円形状の容器体１２の内側面にブレード２３ａが固定されているとともに、攪拌体２２ａ、２２ｂが容器体１２の中心の回転軸２１に固定され、攪拌体２２ａ、２２ｂの回転により生ゴミを攪拌し、遠心力を与えてブレード２３ａとの接触で粉砕できる構造になっており、少なくとも容器体１２の内側面近傍に、生ゴミから排出される水分を容器体１２外に排水できる排水口１８が設けられていること。【選択図】  図２
2004255276.tif 000002
【特許請求の範囲】
【請求項１】
生ゴミを加熱手段により加熱して乾燥を促進させる生ゴミ処理機であって、生ゴミを投入できる断面略円形状の容器体の内側面にブレードが固定されているとともに、攪拌体が前記容器体の中心の回転軸に固定され、該攪拌体の回転により生ゴミを攪拌し、遠心力を与えて前記ブレードとの接触で粉砕できる構造になっており、少なくとも前記容器体の内側面近傍に、生ゴミから排出される水分を容器体外に排水できる排水口が設けられていることを特徴とする生ゴミ処理機。
【請求項２】
前記排水口には、水分が通過可能なフィルターが設けられた請求項１に記載の生ゴミ処理機。
【請求項３】
前記回転軸が垂直に立設させられており、少なくとも一つの前記攪拌体が前記容器体の底面に近接して回転できるようになっている請求項１または２に記載の生ゴミ処理機。
【請求項４】
前記攪拌体が、前記容器体の底面に対して所定のライ角（すくい角）をもつように傾斜して前記回転軸に固定されている請求項３に記載の生ゴミ処理機。
【請求項５】
前記排水口が少なくとも前記容器体の内側面側の底面に設けられている請求項１ないし４の何れかに記載の生ゴミ処理機。
【請求項６】
前記容器体の底面には、生ゴミを排出させることができる開閉可能な排出口が設けられている請求項１ないし５の何れかに記載の生ゴミ処理機。
【請求項７】
容器体の外部から容器体の内部に向けて水流が与えられることで、前記フィルターが逆洗されるようになっている請求項１ないし６の何れかに記載の生ゴミ処理機。
【発明の詳細な説明】
【０００１】
【発明の属する技術分野】
本発明は、スーパー、飲食店、食品工場、学校、病院等から排出される生ゴミ等の廃棄物を効果的に乾燥及び減容処理させるための生ゴミ処理機に関する。
【０００２】
【従来の技術】
従来の生ゴミ処理機は、容器内の生ゴミを加熱することで、生ゴミ中の水分を蒸発させ、発生する水蒸気を容器内から排出させて、生ゴミから水分を取り除くものがある。（例えば、特許文献１参照）
【０００３】
【特許文献１】
特開平１０−４６０号公報（段落００２０、第１図）
【０００４】
【発明が解決しようとしている課題】
しかしながら、特許文献１にあっては、容器内の生ゴミを乾燥させるためには、生ゴミを加熱し、生ゴミ中の水分を水蒸気として容器外に排出させなければならず、そのため生ゴミ中の水分を十分に気化させるには、多量の熱エネルギーを消費してしまうことになり、この方法で生ゴミに含まれる全ての水分を取り除くには効率が悪いばかりか、生ゴミを乾燥させるのに時間がかった。
【０００５】
本発明は、このような問題点に着目してなされたもので、生ゴミ中の水分を効率よく取り除いて、生ゴミを短時間で乾燥させることができる生ゴミ処理機を提供することを目的とする。
【０００６】
【課題を解決するための手段】
上記の目的を解決するために、本発明の生ゴミ処理機は、生ゴミを加熱手段により加熱して乾燥を促進させる生ゴミ処理機であって、生ゴミを投入できる断面略円形状の容器体の内側面にブレードが固定されているとともに、攪拌体が前記容器体の中心の回転軸に固定され、該攪拌体の回転により生ゴミを攪拌し、遠心力を与えて前記ブレードとの接触で粉砕できる構造になっており、少なくとも前記容器体の内側面近傍に、生ゴミから排出される水分を容器体外に排水できる排水口が設けられていることを特徴としている。
この特徴によれば、生ゴミの切断によって滲出した水分が生ゴミとともに、容器体の内側面に遠心力で集まることにより、この内側面近傍に集中した水分が効率的に排水口から排水されるので、生ゴミを短時間で効率よく乾燥させることができるようになる。
【０００７】
本発明の生ゴミ処理機は、前記排水口には、水分が通過可能なフィルターが設けられたことが好ましい。
このようにすれば、生ゴミを排水口から容器体外へ排出させずに、水分のみを容器体外へ排水させることができるようになる。
【０００８】
本発明の生ゴミ処理機は、前記回転軸が垂直に立設させられており、少なくとも一つの前記攪拌体が前記容器体の底面に近接して回転できるようになっていることが好ましい。
このようにすれば、攪拌体が底面に近接して回転させられることで、容器体の底面にある生ゴミを十分に攪拌できるため、乾燥むらができることなく、また、フィルター上に溜まった生ゴミを攪拌体で取り除くことができ、フィルターの目詰まりを防止できる。
【０００９】
本発明の生ゴミ処理機は、前記攪拌体が、前記容器体の底面に対して所定のライ角（すくい角）をもつように傾斜して前記回転軸に固定されていることが好ましい。
このようにすれば、攪拌体が生ゴミをすくって連続的に上方に飛散させるので、生ゴミが空気に触れやすくなり、乾燥効率を上げることができる。
【００１０】
本発明の生ゴミ処理機は、前記排水口が少なくとも前記容器体の内側面側の底面に設けられていることが好ましい。
このようにすれば、生ゴミから滲出された水分は、攪拌体により攪拌されることで遠心力が与えられ、内側面側に移動し、容器体の底面の内側面側の排水口から水が効率的に排水されることになる。
【００１１】
本発明の生ゴミ処理機は、前記容器体の底面には、生ゴミを排出させることができる開閉可能な排出口が設けられていることが好ましい。
このようにすれば、排出口が底面に設けられていることで、生ゴミを容易に容器体の外へ排出させることができる。
【００１２】
本発明の生ゴミ処理機は、容器体の外部から容器体の内部に向けて水流が与えられることで、前記フィルターが逆洗されるようになっていることが好ましい。
このようにすれば、フィルターに詰まった生ゴミを容易に取り除くことができるようになる。
【００１３】
【発明の実施形態】
以下、本発明の生ゴミ処理機の実施例を図面に基づいて説明すると、先ず図１は、本発明の第１実施形態における生ゴミ処理機の全体像を示す斜視図である。
【００１４】
スーパー、飲食店、食品工場、学校、病院等からは、毎日、多量の生ゴミ等の廃棄物が排出されており、図１の符号１は、これら生ゴミを効果的に乾燥及び減容処理させるための生ゴミ処理機である。この生ゴミ処理機１は、箱状の筐体２が脚部３により支持されており、筐体２の上面には、投入口４と排気口５が形成されており、開閉させることができる蓋板６が投入口４に取り付けられている。
【００１５】
筐体２の前面には、操作スイッチ７が備えられており、筐体２の側面には、換気口８が設けられている。筐体２の下面には、モーター９と、処理された生ゴミを下方へ排出させるための排出口１０と、生ゴミの切断によって滲出した水分を排水させるための排水ソケット１１が設けられている。
【００１６】
生ゴミ処理機１について図２から図４を参照して詳述すると、図２は、生ゴミ処理機１の上断面図であり、図３は、生ゴミ処理機１の側断面図であり、図４は、生ゴミ処理機１の拡大側断面図である。
【００１７】
図２に示す筐体２の内部には、略円筒形状の容器体１２を有し、筐体２と容器体１２の間には、加熱チェンバ１３が形成されており、この加熱チェンバ１３内には、加熱手段としての４つのヒーター１４が配置されている。加熱チェンバ１３の側方には、換気口８より取り入れた空気を加熱チェンバ１３内部に送り込むことができる送風ファン１５が設けられており、容器体１２の側面には、加熱チェンバ１３から空気を流入させることができる流入口１６が設けられている。
【００１８】
容器体１２の底面１７の内側面近傍には、生ゴミから滲出した水分を排水させる排水口１８が設けられており、この排水口１８には、水が通過可能なフィルター１９が設けられている。このフィルター１９は、複数の小孔が金属製のプレートに開けられたパンチングメタルで構成させられており、生ゴミを容器体１２の内部に保持させた状態で、水のみを容器体１２の外部へ排水させることができるようになっている。
【００１９】
また、容器体１２の底面１７の内側面近傍には、処理された生ゴミを排出させる排出口１０が設けられている。この排出口１０は、下方に開放させることができる蓋板１０’によって塞がれており、手掛けロック２０を操作することにより開放させることができるようになっている。
【００２０】
容器体１２は中心に回転軸２１を有し、この回転軸２１は垂直に立設させられており、この回転軸２１には、複数枚の略板状の攪拌体２２ａ、２２ｂが容器体１２の底面１７に対して所定のライ角（すくい角）をもつように傾斜して回転軸２１に固定されている。
【００２１】
回転軸２１は、筐体２の下部のモーター９に直結させられており、モーター９を駆動させると、攪拌体２２ａ、２２ｂが回転軸２１を中心に回転できるようになっている。容器体１２の内面には、複数のブレード２３ａ、２３ｂが固着されており、刃先が攪拌体２２ａ、２２ｂの回転方向と逆向きになるように取り付けられている。
【００２２】
図３に示すように、攪拌体２２ａ、２２ｂは、上下二段に分けられており、各段に４枚づつ上面視で十字形を成し、長手方向が水平になるように回転軸２１に固定されているとともに、下段の攪拌体２２ｂは、容器体１２の底面１７に近接して回転できるようになっている。容器体１２の側面に取り付けられたブレード２３ａ、２３ｂは、各段の攪拌体２２ａ、２２ｂの上端縁に沿うように上下二段に分けられて取り付けられている。
【００２３】
排水口１８の下方の排水ソケット１１の側部には、給水管２４が取り付けられており、排水ソケット１１の下部は、排水管２５が取り付けられている。給水管２４は、水を排水ソケット１１内に給水させることができるようになっており、排水ソケット１１の内部に溜まる生ゴミのクズ等を洗い流し、下方の排水管２５に排水させることができるようになっている。
【００２４】
排水管２５にはバルブ２６が設けられており、このバルブ２６を閉鎖し、給水管２４から排水ソケット１１内に水を流入させると、水が排水ソケット１１内から溢れ出すようになり、排水口１８から容器体１２内部に向けて水流が与えられるようになる。その際に、排水口１８に設けられたフィルター１９が逆洗されるので、フィルター１９の小孔に詰まった生ゴミ等のクズを容易に取り除くことができるようになっている。
【００２５】
生ゴミを処理させる際には、先ず、筐体２の上面の投入口４より処理させる生ゴミ等を容器体１２内に投入し、操作スイッチ７を操作することで、送風ファン１５を作動させて外部から空気を送り込むと同時にヒーター１４を作動させる。加熱チェンバ１３内部の空気は、ヒーター１４により加熱されるとともに、送風ファン１５によって、容器体１２の外周に沿って流されるようになっている。
【００２６】
加熱された空気が、容器体１２自体を加熱し、更に加熱された空気は、流入口１６から容器体１２の内部に送り込まれるので、生ゴミは容器体１２自体の熱と加熱された空気によって、加熱させられることで乾燥を促進させられる。生ゴミ中に含まれる一部の水分は、加熱されることにより蒸発し、水蒸気となって排気口５から排気される。
【００２７】
生ゴミの加熱と同時に、筐体２下部のモーター９が作動し、攪拌体２２ａ、２２ｂが回転させられるようになる。そして、生ゴミの切断によって滲出した水分が生ゴミとともに、攪拌により発生する遠心力によって、容器体１２の内側面近傍に移動し、容器体１２の内側面に沿って回転させられるようになっている。
【００２８】
そのため、生ゴミは遠心力が与えられて、容器体１２の側面のブレード２３ａ、２３ｂに接触させられることで、切り刻まれて粉砕させられる。生ゴミが容器体１２の側面に固定されたブレード２３ａ、２３ｂと、攪拌体２２ａ、２２ｂに挟み込まれるように粉砕させられるので、トウモロコシ、長ネギ等の繊維質の強い生ゴミ等であっても、強制的に切り刻むことができるようになっている。
【００２９】
図４に示すように、板状の攪拌体２２ａ、２２ｂは、回転方向が下がるように容器体１２の底面１７に対して所定のライ角（すくい角）をもつように傾斜させられており、攪拌体２２ａ、２２ｂが回転すると容器体１２の底面１７の生ゴミを上方に掻き揚げることができるので、生ゴミを十分に攪拌させることができるようになり、乾燥むらができることがないばかりか、攪拌体２２ａ、２２ｂが生ゴミをすくって連続的に上方に飛散させるので、生ゴミが空気に触れやすくなり、乾燥効率を上げることができる。
【００３０】
また、下段の攪拌体２２ｂが底面１７に近接して回転させられることで、フィルター１９上に溜まった生ゴミを下段の攪拌体２２ｂで取り除くことができ、フィルター１９の目詰まりを防止できるようになっている。
【００３１】
生ゴミ中の水分は、加熱されて水蒸気として排出されるとともに、生ゴミが攪拌及び粉砕されることで、水として排出されるようになる。水蒸気は排気口５より容器体１２外へ排気され、水は容器体１２の下面に形成された排水口１８からフィルター１９を通して容器体１２の外方へ排水される。生ゴミから排出された水を排水口１８によって、容器体１２内から排水させることができるので、生ゴミを短時間で効率よく乾燥させることができるようになっている。
【００３２】
生ゴミが粉砕及び加熱されることで生ゴミ中から滲み出した水分は、攪拌体２２ａ、２２ｂにより攪拌されることで、容器体１２の内側面に遠心力で集まるようになり、排水口１８が容器体１２の底面１７の内側面近傍に設けられていることにより、この内側面近傍に集中した水分が効率的に排水口１８から排水されるようになる。
【００３３】
生ゴミを乾燥させる際に、生ゴミ中に含まれる全ての水分を気化させて、水蒸気として取り出すのではなく、生ゴミ中に含まれる一部の水分を、水のまま取り出すことで、必要最小限度の熱エネルギーを加えて乾燥させることができるようになり、生ゴミ処理機１を稼動させるための電気代等を節約することができるようになっている。
【００３４】
生ゴミを処理後、手掛けロック２０を操作することによって、筐体２下面に設けられている排出口１０の蓋板１０’を下方に開放させると、容器体１２の底面１７に設けられている排出口１０から処理された生ゴミを落下させることができるようになっている。
【００３５】
同時にモーター９を作動させて、攪拌体２２ａ、２２ｂを回転させることで、容器体１２内部にある処理された全ての生ゴミを、排出口１０から容易に容器体１２の外へ排出させることができる。排出口１０から排出された生ゴミは、筐体２の下方に用意された容器２７に収納させることができるので、使用者は自分の手を汚すことなく生ゴミ処理機１から処理された生ゴミを取り出せるようになっている。
【００３６】
次に、第２実施形態に係る生ゴミ処理機２８につき、図５を参照して説明する。なお、上記実施形態と同一構成で重複する構成を省略する。
【００３７】
図５は、第２実施形態における生ゴミ処理機２８の容器体２９内部の側断面図であり、この容器体２９の底面３０は、モーター３１に直結されて立設させられた回転軸３２の位置する中心が高く、容器体２９の外周側が低くなるように形成されており、排水口３３が底面３０の外周側の沿って設けられている。
【００３８】
攪拌体３４ａ、３４ｂ、３４ｃは、三段に分けられて構成されており、上段と中段の攪拌体３４ａ、３４ｂは、長手方向が水平を成し、下段の攪拌体３４ｃは、容器体２９の底面３０に沿って回転できるように、長手方向が外周側に行くに従い低くなるように傾斜して回転軸３２に取り付けられている。
【００３９】
容器体２９の底面３０の外周側が、低くなるように傾斜されていることで、生ゴミから排出された水が、底面３０の傾斜に沿って外周側に移動するので、水が排水口３３より排水されやすくなっている。また、攪拌体３４ｃが底面３０に沿って回転させられることで、容器体２９の底面３０にある生ゴミを十分に攪拌させることができ、フィルター３５上に溜まった生ゴミを取り除くことができるようになっている。
【００４０】
次に、第３実施形態に係る生ゴミ処理機３６につき、図６を参照して説明する。なお、上記実施形態と同一構成で重複する構成を省略する。
【００４１】
図６は、第３実施形態における生ゴミ処理機３６の側断面図であり、この生ゴミ処理機３６は、生ゴミが投入される投入口３７が、脚部３８に支持された筐体３９の上面に設けられており、側面視で断面が略円形状の容器体４０の下方の内面に、複数のブレード４１が固定されており、複数の棒状の攪拌体４２が、容器体４０の中心に配置された長手方向が水平を成す回転軸４３に取り付けられている。
【００４２】
また、容器体４０の下方の側面には、生ゴミから排出される水を容器体４０の外部に排水できる排水口４４を備えており、容器体４０の底部には、処理された生ゴミを排出させられる排出口４５が形成されている。この排出口４５は、下方に開閉可能な蓋板４６によって塞がれている。
【００４３】
容器体４０の上方には、複数の流入口４７が設けられており、加熱された空気を、送風ファン４８のよって強制的に容器体４０の内部に流入させることができるようになっている。流入口４７が、容器体４０の上方に設けられていることで、加熱された空気が上方から生ゴミに噴き付けられるようになっている。
【００４４】
攪拌体４２が、長手方向が水平を成す回転軸４３に固定されていることで、攪拌体４２が回転させられると、生ゴミは上方に持ち上げられながら攪拌されるので、生ゴミが空気に触れやすくなり、乾燥が促進させられることになる。更に、持ち上げられた生ゴミが攪拌体４２の回転によって、下方に落とされるので、容器体４０の内面に固着されたブレード４１に叩き付けられるように接触し、粉砕させられるようになっている。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、本発明の生ゴミ処理機は、生ゴミに限らず、ダンボール等の紙類を処理させることも可能であり、容器体内にダンボール等を投入し、攪拌体を回転させると、攪拌体の回転と容器体側面のブレードによって、ダンボール等を粉砕させることができる。
【００４７】
また、最近では生分解性プラスチィックで形成された食品トレイが、食料品等の梱包に使われていることが多く、そのためスーパー等の売れ残りの食料品等を食品トレイに梱包させた状態で、本発明の生ゴミ処理機に投入させて、食品トレイごと粉砕させることもできる。食品トレイが生分解性プラスチィックで形成されているため、処理後の廃棄物は、そのまま土壌中に廃棄させることが可能である。
【００４８】
更に、上記実施例では、処理された生ゴミを排出させる排出口と、生ゴミから滲出した水分を排水させる排水口が、容器体の底面に各々独立して形成されていたが、これらに限られるものではなく、複数の小孔を形成されたパンチングメタルプレートを、蓋板として排出口に取り付けることにより、排出口を排水口としても使用させることができるようになる。
【００４９】
【発明の効果】
本発明は以下の効果を奏する。
（ａ）請求項１に記載の発明によれば、生ゴミの切断によって滲出した水分が生ゴミとともに、容器体の内側面に遠心力で集まることにより、この内側面近傍に集中した水分が効率的に排水口から排水されるので、生ゴミを短時間で効率よく乾燥させることができるようになる。
【００５０】
（ｂ）請求項２に記載の発明によれば、生ゴミを排水口から容器体外へ排出させずに、水分のみを容器体外へ排水させることができるようになる。
【００５１】
（ｃ）請求項３に記載の発明によれば、攪拌体が底面に近接して回転させられることで、容器体の底面にある生ゴミを十分に攪拌できるため、乾燥むらができることなく、また、フィルター上に溜まった生ゴミを攪拌体で取り除くことができ、フィルターの目詰まりを防止できる。
【００５２】
（ｄ）請求項４に記載の発明によれば、攪拌体が生ゴミをすくって連続的に上方に飛散させるので、生ゴミが空気に触れやすくなり、乾燥効率を上げることができる。
【００５３】
（ｅ）請求項５に記載の発明によれば、生ゴミから滲出された水分は、攪拌体により攪拌されることで遠心力が与えられ、内側面側に移動し、容器体の底面の内側面側の排水口から水が効率的に排水されることになる。
【００５４】
（ｆ）請求項６に記載の発明によれば、排出口が底面に設けられていることで、生ゴミを容易に容器体の外へ排出させることができる。
【００５５】
（ｇ）請求項７に記載の発明によれば、フィルターに詰まった生ゴミを容易に取り除くことができるようになる。
【図面の簡単な説明】
【図１】本発明の第１実施形態における生ゴミ処理機の全体像を示す斜視図である。
【図２】生ゴミ処理機の上断面図である。
【図３】生ゴミ処理機の側断面図である。
【図４】生ゴミ処理機の拡大側断面図である。
【図５】第２実施形態における生ゴミ処理機の容器体の側断面図である。
【図６】第３実施形態における生ゴミ処理機の側断面図である。
【符号の説明】
１                生ゴミ処理機
２                筐体
３                脚部
４                投入口
５                排気口
６                蓋板
７                操作スイッチ
８                換気口
９                モーター
１０              排出口
１０’            蓋板
１１              排水ソケット
１２              容器体
１３              加熱チェンバ
１４              ヒーター
１５              送風ファン
１６              流入口
１７              底面
１８              排水口
１９              フィルター
２０              手掛けロック
２１              回転軸
２２ａ、２２ｂ    攪拌体
２３ａ、２３ｂ    ブレード
２４              給水管
２５              排水管
２６              バルブ
２７              容器
２８              生ゴミ処理機
２９              容器体
３０              底面
３１              モーター
３２              回転軸
３３              排水口
３４ａ、３４ｂ    攪拌体
３４ｃ            攪拌体
３５              フィルター
３６              生ゴミ処理機
３７              投入口
３８              脚部
３９              筐体
４０              容器体
４１              ブレード
４２              攪拌体
４３              回転軸
４４              排水口
４５              排出口
４６              蓋板
４７              流入口
４８              送風ファン
【図１】
2004255276.tif 000003
【図２】
2004255276.tif 000004
【図３】
2004255276.tif 000005
【図４】
2004255276.tif 000006
【図５】
2004255276.tif 000007
【図６】
2004255276.tif 000008